(57)【要約】【課題】照明制御システムにおいて、無線発信器に不具合が生じた場合においても、照明器具が誤って点灯され続けることを適切に防止する。【解決手段】無線受信器７には、複数の無線発信器８のそれぞれが制御対象とする照明器具９のアドレス情報である制御アドレスと、当該制御アドレスのＯＮ／ＯＦＦ状態が記録される。無線受信器７は、無線発信器８の不具合状態を確認するため定期的に無線発信器８から受信する判別信号に基づいて、当該判別信号を所定期間以上にわたって受信できない場合、無線発信器８の制御アドレスをＯＦＦ状態とする。また、複数の無線発信器８の制御アドレスが全てＯＦＦ状態となる場合に、照明器具９をＯＦＦ制御するための制御データを伝送ユニット２に送信する。この構成により、無線発信器８に不具合が生じた場合においても、照明器具９が誤って点灯され続けることを適切に防止できる。【選択図】図１
2014086184.tif 000002
【特許請求の範囲】
【請求項１】
検知エリア内の人体から放射される熱線を検知する熱線センサを有して照明負荷の動作制御をする複数の無線発信器と、前記無線発信器と無線通信される無線受信器と、信号線を介して前記無線受信器と接続されて制御データを送受信する伝送ユニットと、を備える照明制御システムにおいて、
前記無線受信器には、前記複数の無線発信器のそれぞれが制御対象とする照明負荷のアドレス情報である制御アドレスと、当該制御アドレスのＯＮ／ＯＦＦ状態が記録され、
前記無線受信器は、前記無線発信器の不具合状態を確認するため定期的に前記無線発信器から受信する判別信号に基づいて、当該判別信号を所定期間以上にわたって受信できない場合、当該無線発信器の制御アドレスをＯＦＦ状態とし、かつ前記複数の無線発信器の制御アドレスが全てＯＦＦ状態となる場合に、前記照明負荷をＯＦＦ制御するための制御データを前記伝送ユニットに送信する、ことを特徴とする照明制御システム。
【請求項２】
前記無線受信器は、前記無線発信器の不具合状態を確認するために生存確認信号を前記複数の無線発信器に定期的に送信し、
前記無線発信器は、前記生存確認信号を受信した場合、前記判別信号としての応答信号を前記無線受信器に返信する、ことを特徴とする請求項１記載の照明制御システム。
【請求項３】
前記無線発信器は、前記判別信号としての生存通知信号を前記無線受信器に定期的に送信する、ことを特徴とする請求項１記載の照明制御システム。
【請求項４】
前記無線発信器は、前記熱線センサで人検知された場合、前記制御アドレスの照明負荷をＯＮ制御するためのＯＮ通知を前記無線受信器に送信し、
前記無線発信器は、前記ＯＮ通知を送信してからの所定の動作保持時間を計測するタイマ部をさらに備え、
前記無線発信器は、前記タイマ部での計測に基づいて、前記ＯＮ通知を送信してからの所定の動作保持時間経過後に、前記制御アドレスの照明負荷をＯＦＦ制御するためのＯＦＦ通知を前記無線受信器に送信し、
前記無線受信器は、前記動作保持時間経過後に前記ＯＦＦ通知を受信した場合、当該ＯＦＦ通知の送信元となる無線発信器の前記制御アドレスをＯＦＦ状態とすると共に、前記ＯＮ通知を受信してから前記ＯＦＦ通知を受信するまでの期間においてのみ、前記無線発信器の不具合状態を確認する、ことを特徴とする請求項１乃至３のいずれか一項に記載の照明制御システム。
【請求項５】
前記無線発信器は、前記熱線センサで人検知された場合、前記制御アドレスの照明負荷をＯＮ制御するためのＯＮ通知を前記無線受信器に送信し、
前記無線受信器は、前記ＯＮ通知を受信した時点において、前記ＯＮ通知の送信元となる無線発信器の前記制御アドレスをＯＮ状態とすると共に、前記複数の無線発信器の制御アドレスの少なくとも１つがＯＮ状態となるときに、前記照明負荷をＯＮ制御するための制御データを前記伝送ユニットに送信する、ことを特徴とする請求項１乃至４のいずれか一項に記載の照明制御システム。
【発明の詳細な説明】
【技術分野】
【０００１】
本発明は、熱線センサを備える無線発信器、及び無線発信器と無線接続された無線受信器を用いて照明器具を制御する照明制御システムに関する。
【背景技術】
【０００２】
従来より、住宅やビルディング内において、明るさセンサや人感センサといったセンサ類と連携して複数の照明器具のＯＮ／ＯＦＦや調光状態を個別に、又は一括して制御する照明制御システムが導入されている。この照明制御システムでは、外光の明るさや人の存在に応じて照明器具のＯＮ／ＯＦＦを適切に制御できるため省エネルギー化を図ることができる。
【０００３】
また、高天井の倉庫や、ラックなどの障害物が多くある空間でも正確な人検知ができるように、複数の小型の熱線センサ付き無線発信器をレイアウトフリーに設置した照明制御システムも知られている。
【０００４】
このような照明制御システムの一例を図１０に示す。この照明制御システム１００は、熱線センサ及び照度センサを有する複数の無線発信器１０１ａ，１０１ｂ、これら無線発信器１０１ａ，１０１ｂと無線通信する無線受信器１０２を備える。さらに、分電盤内には伝送ユニット１０３、リレー制御用端末器１０４、及びリモコンリレー１０５を備え、リモコンリレー１０５には照明器具１０７が接続される。伝送ユニット１０３は、２線式の信号線を介して無線受信器１０２、リレー制御用端末器１０４及びスイッチ１０６と接続されている。
【０００５】
この照明制御システム１００の動作を図１１乃至図１３を参照して説明する。最初に、図１１（ａ）に示すように、無線発信器１０１ａは、熱線センサからの入力が閾値を超えて人検知された場合、所定アドレスの照明器具１０７をＯＮ制御するためのＯＮ通知を無線受信器１０２に送信する。このとき、無線発信器１０１ａの内部状態はＯＮ状態として保持される。一方、無線受信器１０２は、メモリ部を備え、登録関係にある複数の無線発信器１０１ａ，１０１ｂに対応する制御アドレス毎にＯＮ／ＯＦＦ状態の別を記憶している。
【０００６】
無線受信器７は、電波到達エリア内にあり、登録関係にある複数の無線発信器１０１ａ，１０１ｂのいずれか１つからＯＮ通知を受信した場合、認識状態が「ＯＲ  ＯＮ」となり、ＯＮ制御要求を含む制御データを伝送ユニット２に送信する。
【０００７】
伝送ユニット１０３は、無線受信器１０２からのＯＮ制御要求に基づいて制御対象となる照明器具１０７や制御状態を特定する。また、伝送ユニット１０３は、制御対象となる照明器具１０７と対応するリレー制御用端末器１０４に対して、照明器具１０７のアドレス情報と、そのＯＮ制御状態とを制御指令信号として送信する。
【０００８】
リレー制御用端末器１０４は、伝送ユニット１０３からの伝送信号に基づいて、自己に接続するリモコンリレー１０５のうち、制御対象となる照明器具１０７に対応するリモコンリレー１０５に対してＯＮ制御信号を送る。このことにより、リモコンリレー１０５の状態をＯＮ制御する。また、スイッチ１０６は、伝送ユニット１０３から制御信号を受信し、ＯＮ制御された照明器具１０７に対応するボタン部のＬＥＤ表示をＯＦＦ表示（緑）からＯＮ表示（赤）に変更する。
【０００９】
次に、図１１（ｂ）に示すように、別の無線発信器１０１ｂにおいて熱線センサからの入力が閾値を超えて人検知された場合、無線発信器１０１ｂは、制御アドレスの照明器具１０７をＯＮ制御するためのＯＮ通知を無線受信器１０２に送信する。この場合、無線受信器１０２は、無線発信器１０１ｂの制御アドレスをＯＮ状態とし、内部の認識状態は「ＯＲ  ＯＮ」が継続される。
【００１０】
無線発信器１０１ａは、図１２（ａ）に示すように、検知エリア内で人検出されてから所定の動作保持時間の経過後において、照明器具９を消灯するためのＯＦＦ通知を無線受信器１０２に送信する。ここで、無線受信器１０２は、無線発信器１０１ａの制御アドレスをＯＦＦ状態とするが、内部の認識状態には未だ「ＯＲ  ＯＮ」が成立している。
【００１１】
次に、図１２（ｂ）に示すように、無線発信器１０１ｂの動作保持時間が満了すると、ＯＦＦ通知が無線受信器１０２に送信される。ここで、無線受信器１０２は、無線発信器１０１ｂの制御アドレスをＯＦＦ状態とする。すると、無線受信器１０２は、複数の無線発信器１０１ａ，１０１ｂから受信したＯＮ通知に対応する全てのＯＦＦ通知を受信した動作状態である「ＡＮＤ  ＯＦＦ」成立と認識する。この「ＡＮＤ  ＯＦＦ」が伝送ユニット１０３に対してＯＦＦ制御要求を行うトリガとなる。
【００１２】
そして、ＯＦＦ制御要求を受信した伝送ユニット１０３は、制御対象となる照明器具１０７や制御状態を特定する。そして、伝送ユニット１０３は、上記同様の制御によりリレー制御用端末器１０４及びリモコンリレー１０５を介して照明器具１０７をＯＦＦ制御する。
【００１３】
ところで、照明に搭載され、正常に動作しているセンサの数がゼロになっても、照明装置の不点灯または誤動作を防ぐことができることができる照明制御システムが開示されている（例えば、特許文献１参照）。
【先行技術文献】
【特許文献】
【００１４】
【特許文献１】特開２０１０−１７６９１２号公報
【発明の概要】
【発明が解決しようとする課題】
【００１５】
しかしながら、上記図１０に示す照明制御システムにおいて、動作保持時間経過後のＯＦＦ通知をする前において、無線発信器１０１ａに、故障、電池切れ、電波到達圏外への持ち運びなどの不具合が生じることが考えられる。特に、小型の無線発信器１０１ａは、裏面のマグネットなどを用いてロッカー壁面などに固定されることがあるため、容易に持ち運びされる可能性がある。
【００１６】
この場合は、図１３（ａ）に示すように、動作保持時間の経過後に無線受信器１０２から送信される予定のＯＦＦ通知が無線受信器１０２に到達せず、無線受信器１０２が無線発信器１０１ａの制御アドレスをＯＮ状態からＯＦＦ状態にできない。この結果、図１３（ｂ）に示すように、無線発信器１０１ｂの動作保持時間が満了してＯＦＦ通知が無線受信器１０２に正確に送信され、無線発信器１０１ａの検知エリアに人が居なくなった後においても、内部の認識状態「ＯＲ  ＯＮ」が継続する。この場合、人が居なくなっても照明器具１０７を消灯できないという問題が生じる。
【００１７】
本発明は、上記課題に鑑みてなされたものであり、無線発信器に不具合が生じた場合においても、照明器具が誤って点灯され続けることを適切に防止した照明制御システムを提供することを目的とする。
【課題を解決するための手段】
【００１８】
上記目的を達成するために本発明は、検知エリア内の人体から放射される熱線を検知する熱線センサを有して照明負荷の動作制御をする複数の無線発信器と、前記無線発信器と無線通信される無線受信器と、信号線を介して前記無線受信器と接続されて制御データを送受信する伝送ユニットと、を備える照明制御システムにおいて、前記無線受信器には、前記複数の無線発信器のそれぞれが制御対象とする照明負荷のアドレス情報である制御アドレスと、当該制御アドレスのＯＮ／ＯＦＦ状態が記録され、前記無線受信器は、前記無線発信器の不具合状態を確認するため定期的に前記無線発信器から受信する判別信号に基づいて、当該判別信号を所定期間以上にわたって受信できない場合、当該無線発信器の制御アドレスをＯＦＦ状態とし、かつ前記複数の無線発信器の制御アドレスが全てＯＦＦ状態となる場合に、前記照明負荷をＯＦＦ制御するための制御データを前記伝送ユニットに送信することを特徴とする。
【００１９】
この照明制御システムにおいて、前記無線受信器は、前記無線発信器の不具合状態を確認するために生存確認信号を前記複数の無線発信器に定期的に送信し、前記無線発信器は、前記生存確認信号を受信した場合、前記判別信号としての応答信号を前記無線受信器に返信することが好ましい。
【００２０】
この照明制御システムにおいて、前記無線発信器は、前記判別信号としての生存通知信号を前記無線受信器に定期的に送信することが好ましい。
【００２１】
この照明制御システムにおいて、前記無線発信器は、前記熱線センサで人検知された場合、前記制御アドレスの照明負荷をＯＮ制御するためのＯＮ通知を前記無線受信器に送信し、前記無線発信器は、前記ＯＮ通知を送信してからの所定の動作保持時間を計測するタイマ部をさらに備え、前記無線発信器は、前記タイマ部での計測に基づいて、前記ＯＮ通知を送信してからの所定の動作保持時間経過後に、前記制御アドレスの照明負荷をＯＦＦ制御するためのＯＦＦ通知を前記無線受信器に送信し、前記無線受信器は、前記動作保持時間経過後に前記ＯＦＦ通知を受信した場合、当該ＯＦＦ通知の送信元となる無線発信器の前記制御アドレスをＯＦＦ状態とすると共に、前記ＯＮ通知を受信してから前記ＯＦＦ通知を受信するまでの期間においてのみ、前記無線発信器の不具合状態を確認することが好ましい。
【００２２】
この照明制御システムにおいて、前記無線発信器は、前記熱線センサで人検知された場合、前記制御アドレスの照明負荷をＯＮ制御するためのＯＮ通知を前記無線受信器に送信し、前記無線受信器は、前記ＯＮ通知を受信した時点において、前記ＯＮ通知の送信元となる無線発信器の前記制御アドレスをＯＮ状態とすると共に、前記複数の無線発信器の制御アドレスの少なくとも１つがＯＮ状態となるときに、前記照明負荷をＯＮ制御するための制御データを前記伝送ユニットに送信することが好ましい。
【発明の効果】
【００２３】
本発明に係る照明制御システムによれば、無線受信器は無線発信器から当該無線発信器の不具合状態を判別するための判別信号を定期的に受信する。そして、無線受信器は、一定時間以上、当該判別信号を受信できない場合、無線発信器に対応する制御アドレスをＯＦＦ状態とする。このため、無線発信器に不具合が生じた場合においても、照明器具が誤って点灯され続けることを適切に防止できる。
【図面の簡単な説明】
【００２４】
【図１】本発明の実施の形態１に係る照明制御システムのシステム構成図である。
【図２】同上照明制御システムに備わる無線発信器の機能ブロック図である。
【図３】同上照明制御システムに備わる無線受信器の機能ブロック図である。
【図４】同上照明制御システムの動作手順を示すフローチャートである。
【図５】同上照明制御システムのシーケンス図である。
【図６】（ａ）及び（ｂ）同上照明制御システムに備わる無線発信器、無線受信器及び照明器具の制御状態を説明するための図である。
【図７】同上照明制御システムに備わる無線発信器、無線受信器及び照明器具の制御状態を説明するための図である。
【図８】実施の形態２に係る照明制御システムのシーケンス図である。
【図９】実施の形態２の変形例に係る照明制御システムのシーケンス図である。
【図１０】従来の照明制御システムのシステム構成図である。
【図１１】（ａ）及び（ｂ）同上照明制御システムにおいて、無線発信器が人検知した際の制御動作を説明するための図である。
【図１２】（ａ）及び（ｂ）同上照明制御システムにおいて、動作保持時間満了後の制御動作を説明するための図である。
【図１３】（ａ）及び（ｂ）同上照明制御システムにおいて、無線発信器に不具合が発生した際の制御動作を説明するための図である。
【発明を実施するための形態】
【００２５】
本発明の実施の形態に係る照明制御システムについて図面を参照して説明する。
【００２６】
（実施の形態１）
図１は、本実施の形態１に係る照明制御システム１の構成を示す。この照明制御システム１は、伝送ユニット２と、リレー制御用端末器３と、リモコンリレー４と、リモコントランス５と、リモコンスイッチ６と、無線受信器７と、無線発信器８ａ，８ｂ（総称して、８）と、照明器具（照明負荷）９とを備えている。
【００２７】
リレー制御用端末器３、リモコンスイッチ６、及び無線受信器７は、２線式の信号線を介して伝送ユニット２と相互に接続されており、伝送ユニット２との情報のやり取りは、信号線に多重伝送方式で伝送される伝送信号を通して行われる。この照明制御システム１では、無線受信器７と無線発信器８との間で無線通信を行い、照明器具９のオン／オフ状態や室内の照度を自動制御する。
【００２８】
伝送ユニット２は、リモコンスイッチ６や無線受信器７からの伝送信号に基づいて、伝送信号に含まれるアドレス情報から制御対象となる照明器具９を特定すると共に、照明器具９に対する制御状態を特定する。そして、伝送ユニット２は、制御対象となる照明器具９と対応するリレー制御用端末器３に対して、照明器具９のアドレス情報と、その制御状態（ＯＮ、ＯＦＦや調光レベルなど）とを制御指令信号として送信する。
【００２９】
照明制御システム１内に存在する照明器具９は、負荷アドレスによって一意に特定することができる。具体的には、リレー制御用端末器３には、負荷チャネル（Ｃｈ）と呼ばれる固有の識別子が割り当てられており、リレー制御用端末器３に接続するリモコンリレー４には、負荷ナンバー（Ｎｍ）を呼ばれる固有の識別子が割り当てられている。負荷チャネル（Ｃｈ）と、負荷ナンバー（Ｎｍ）とを組み合わせることにより、負荷アドレス（Ｃｈ−Ｎｍ）が構成される。
【００３０】
リレー制御用端末器３は、リレーの制御状態に応じて照明器具９の状態を制御する負荷制御端末器としての機能を担っている。リレー制御用端末器３は、伝送ユニット２からの伝送信号に基づいて、自己に接続するリモコンリレー４のうち、制御対象となる照明器具９に対応するリモコンリレー４に対して制御信号を送ることにより、リモコンリレー４の状態を制御する。リモコンリレー４の個々のリレーは、リレー制御用端末器３に制御されて、ブレーカ電源（ＡＣ１００又は２００Ｖ）１０などからの商用交流をオン／オフすることで、照明器具９をオン状態またはオフ状態にする。
【００３１】
リモコントランス５は、リレー制御用端末器３、及びリモコンリレー４に駆動用の電力を供給する。
【００３２】
リモコンスイッチ６は、照明器具９を制御するための制御指令を出力するための入力端末器としての機能を担っている。具体的には、リモコンスイッチ６は、例えば室内などの任意の壁面に設置されており、照明器具９を利用するユーザによってプッシュ操作が可能な端末器である。リモコンスイッチ６は、操作スイッチのいずれかが操作されるのに応じて、その操作スイッチに関連付けられているアドレス情報と、操作スイッチの操作状態とを制御指令として伝送ユニット２に送信する。
【００３３】
無線受信器７は、天井面に埋め込まれ、無線発信器８とワイヤレスで制御情報の送受信を行うと共に、２線式の信号線と接続して伝送ユニット２と制御データの送受信を行う。無線受信器７は、配置される場所が異なると、異なる電波到達エリアＡ，Ｂを有する。
【００３４】
この無線受信器７には、例えば電波式ワイヤレスアドレス設定器１０を用い、無線発信器８との間で無線信号の送受信を行うためのアドレス情報も登録される。このアドレス情報は、無線受信器７の電波到達エリア内の登録関係にある複数の無線発信器８のそれぞれの固有の機器ＩＤ、及び当該機器ＩＤの無線発信器８が制御対象とする照明器具９の制御アドレスが登録されている。この制御アドレスとして、個別アドレス、パターンアドレスやグループアドレスなどが設定される。なお、個別アドレスは、個別制御の対象となる照明器具９を特定するための情報であり、負荷アドレス（個別「０−１」など）に該当する。グループアドレスは、複数の照明器具９を同一の制御状態へと一括的に制御するためグループ制御の対象となるグループを特定するための情報であり、予め設定された個々のグループに付与された番号（「Ｇ−１」など）がこれに該当する。パターンアドレスは、複数の照明器具９を、それぞれの照明器具９に予め定められた所定の制御状態へと一括的に制御するパターンを特定するための情報であり、予め設定された個々のパターンに付与された番号（「Ｐ−１」など）である。
【００３５】
無線発信器８ａ，８ｂは、レイアウトフリーに壁面に設置され、検知エリア周辺の照度を検知する照度センサ、及び検知エリア内の人体から放射される熱線を検知する熱線センサを備える。また、無線発信器８ａ，８ｂの背面側には、ユーザ操作されるアドレス設定選択つまみ、動作保持時間設定用つまみなどが設けられている。
【００３６】
熱線センサは、人体から放射される熱線を検出して検知エリア内の人の存否に応じて出力する人体検出信号を監視する。無線発信器８は、検知エリア内の人の動きが検出されたときに照明器具９を自動でのＯＮ／ＯＦＦ制御や自動調光させるためのアドレス情報や制御情報を無線受信器７に送信可能とする。また、無線発信器８は、熱線センサによって検知エリア内で人検出されてから所定の動作保持時間経過後に照明器具９を消灯するためのＯＦＦ通知を無線受信器７に送信する。
【００３７】
照度センサは、検知エリアの明るさを検知（照度検知範囲５〜１０００ルクス等）する。無線発信器８は、照度センサにより検知された照度に基づいて照明器具９を制御するための制御情報を無線受信器７に送信可能とする。この照度センサを用いた照明制御により、日没後は点灯するなど外光にあわせて平均照度を一定に保って調光でき、照明環境の快適性を保ちながら省エネを図ることができる。また、無線発信器８が熱線センサに加えて照度センサをも備えることで、暗くなり且つ人がいる時だけの点灯制御などが可能となる。
【００３８】
次に、本照明制御システム１に備わる無線発信器８の機能構成に関して図２を参照して説明する。無線発信器８は、ＣＰＵ８０、電源部８１、ブザー８２、サブクロック部８３、熱線検知部８４、ＬＥＤ表示部８５、アドレス切替部８６、無線送受信部８７、照度測定部８８、明るさ設定部８９、動作保持時間設定部９０、及びアドレス登録設定部９１を備える。
【００３９】
電源部８１は、特定小電力無線に対応し、専用のリチウムイオン二次電池から内部の電源を供給する。ブザー８２は、確認音や警告音を発音し、サブクロック部８３は、水晶振動子などによりＣＰＵ８０の動作周波数を発生させる。
【００４０】
熱線検知部８４は、熱線の変化を検知する焦電素子のような熱線センサを具備し、熱線センサの出力を増幅してＣＰＵ８０に出力する。ＣＰＵ８０は、熱線検知部８４の出力と、保持された所定の閾値との高低を比較することによって、検知エリア内の人の存否を判定している。また、ＣＰＵ８０は、所定プログラムに基づいて、無線受信器７との間で行う通信情報を制御する。
【００４１】
ＬＥＤ表示部８５は、熱線センサにおいて人を検知した際やアドレス設定時、電源不足時などにおいて点滅や発光する。無線発信器８は、操作入力部９３によってユーザ入力された設定項目（例えば設定照度値、動作保持時間やアドレスデータ）の値や、内部的にＯＮ通知をしたＯＮ状態又はＯＦＦ通知をしたＯＦＦ状態の別を保持する。無線送受信部８７は、専用のＡＳＩＣがアンテナに接続されて構成され、無線受信器７との間で、ワイヤレスで制御情報の送受信を実現する。
【００４２】
照度測定部８８は、周囲の明るさを検出するＣｄＳ、フォトダイオード、フォトトランジスタのような照度センサを有し、照度センサの出力を増幅してＣＰＵ８０に出力する。ＣＰＵ８０では、照度測定部８８の出力と、保持された所定の明るさレベル（設定レベル）との明暗を比較する。
【００４３】
無線発信器８の背面に設けられたツマミ部である操作入力部９３には、明るさ設定部８９、動作保持時間設定部９０、及びアドレス登録設定部９１が備えられる。明るさ設定部８９は、照明器具９の制御のための照度設定値を変更するための切替スイッチである。動作保持時間設定部９０は、照明器具９の点灯を保持する時間を変更するための切替スイッチであり、３０秒、３分、１０分、３０分などから動作保持時間を選択する。アドレス登録設定部９１は、別体の電波式アドレス設定器とデータを送受信して電波信号を受信する。アドレス切替部８６は、番号１〜１６などの内からアドレスを選択するツマミ部である。
【００４４】
タイマ部８０ａは、ＣＰＵ８０に備わり、クロックを数えることで一定時間の経過を知るタイマ機能を有し、定期的な信号送受信時や、無線発信器８の動作保持時間の検出時にＣＵＰ８０に対して割り込みを発生させる。
【００４５】
次に、本照明制御システム１に備わる無線受信器７の機能構成に関して図３を参照して説明する。無線受信器７は、ＣＰＵ７０ａ，７０ｂ（総称して、７０）、無線送受信部７１ａ，７１ｂ、スイッチ７２、多重伝送信号送受信部７３、電源部７４、ＬＥＤ表示部７５、メモリ部７６、及びタイマ部７７を備える。
【００４６】
無線送受信部７１ａ，７１ｂは、専用のＡＳＩＣがアンテナに接続されて構成され、複数の無線発信器８ａ，８ｂとの経路切り替えなどを行うスイッチ７２を介して無線発信器８との間で制御情報の送受信を実現する。無線送受信部７１ａ、７１ｂは、無線発信器８から制御信号を受信すると、ＣＰＵ７０ａ，７０ｂに検知信号を出力する。
【００４７】
伝送通信部たる多重伝送信号送受信部７３は、一対の端子Ｔ１，Ｔ１に接続された信号線Ｌｓを介して、伝送ユニット２との間で多重伝送方式により伝送信号の送受信を行う。また、多重伝送信号送受信部７３は、信号線Ｌｓを介して入力された伝送信号を信号変換してＣＰＵ７０ａ，７０ｂに出力し、ＣＰＵ７０ａ，７０ｂから出力された信号を伝送信号に変換して信号線Ｌｓに送出する。
【００４８】
電源部７４は、信号線Ｌｓを介して入力される伝送信号を全波整流器で全波整流し、さらに定電圧部で定電圧化することによって、内部の電源を得ている。
【００４９】
ＣＰＵ７０ａ，７０ｂでは、多重伝送信号送受信部７３を介して受信した伝送信号に含まれるアドレスデータがメモリ部７６に格納されたアドレスデータに一致すると、伝送信号の制御データを受け取り、制御データに応じた動作をする。また、ＣＰＵ７０は、所定プログラムに基づいて、無線発信器８との間で行う通信情報を処理する。
【００５０】
ＬＥＤ表示部７５は、アドレス設定時などにおいて点滅や発光する。メモリ部７６は、不揮発性メモリであり、設定項目（例えばアドレス）の値、無線発信器８の機器ＩＤ、当該機器ＩＤごとに設定された制御アドレス、当該制御アドレスのＯＮ／ＯＦＦ状態、無線受信器７の認識状態「ＯＲ  ＯＮ」、「ＡＮＤ  ＯＦＦ」を記憶する。
【００５１】
タイマ部７７は、ＣＰＵ７０に備わり、クロックを数えることで一定時間の経過を知るタイマ機能を有し、定期的な信号送受信時などにおいてＣＵＰ７０ａに対して割り込みを発生させる。
【００５２】
次に、本実施の形態１に係る照明制御システム１の動作手順に関して図４のフローチャートを参照して説明する。まず、無線受信器７から無線発信器８ａ，８ｂに生存確認信号を送信した場合の動作手順に関して説明する。
【００５３】
最初に、無線受信器７のメモリ部７６には、「無線発信器８ａ，８ｂ：生存」と記憶されている（Ｓ２０）。そして、タイマ部７７において所定の生存確認送信タイミングとなると（Ｓ２１でＹ）、無線受信器７は無線発信器８ａに生存確認信号を送信する（Ｓ２２）。この生存確認信号は、無線受信器７が無線発信器８ａの状態を確認するための信号である。無線受信器７は、生存確認信号に対する応答信号であるＡＣＫ（判別信号）を受信することで（Ｓ２３でＹ）、無線発信器８ａが正常に存在していることを確認し、メモリ部７６の「無線発信器８ａ：生存」を保持する（Ｓ２４）。
【００５４】
一方、ＡＣＫ（判別信号）を受信できない場合であり（Ｓ２３でＮ）、所定時間（ｔ１：例えば３０分）が経過した場合には（Ｓ２５でＹ）、メモリ部７６に「無線発信器８ａ：不生存」を記憶する（Ｓ２６）。また、所定時間が経過していない場合には（Ｓ２５でＮ）、再度Ｓ２１以下の処理を繰り返す。
【００５５】
また、無線受信器７は、無線発信器８ｂに対してもＳ２１〜２６までと同様の動作を行う。すなわち、タイマ部７７において所定の生存確認送信タイミングとなると（Ｓ２７でＹ）、無線発信器８ｂに生存確認信号を送信する（Ｓ２８）。これに対するＡＣＫ（判別信号）を受信すると（Ｓ２９でＹ）、無線発信器８ｂが正常に存在していることを確認でき、メモリ部７６の「無線発信器８ｂ：生存」を保持する（Ｓ３０）。一方、ＡＣＫ（判別信号）を受信できない場合であり（Ｓ２９でＮ）、所定時間（ｔ１）が経過した場合には（Ｓ３１でＹ）、メモリ部７６に「無線発信器８ｂ：不生存」を記憶する（Ｓ３２）。また、所定時間が経過していない場合には（Ｓ３１でＮ）、再度Ｓ２１以下の処理を繰り返す。
【００５６】
次に、無線受信器７が無線発信器８ａ，８ｂからＯＮ通知を受信した場合の動作手順に関して同じく図４を参照して説明する。
【００５７】
最初に、無線受信器７のメモリ部７６には「無線発信器８ａ，８ｂの制御アドレス：ＯＦＦ状態」が記憶されている（Ｓ４０）。次に、無線受信器７は、無線発信器８ａからのＯＮ通知を受信した場合（Ｓ４１でＹ）、メモリ部７６に「無線発信器８ａの制御アドレス：ＯＮ状態」を記憶する（Ｓ４２）。一方、ＯＮ通知を受信していない場合（Ｓ４１でＮ）、メモリ部７６の記録である「無線発信器８ａの制御アドレス：ＯＦＦ状態」を保持する（Ｓ４３）。
【００５８】
また、無線受信器７は、無線発信器８ｂに対してもＳ４１〜４３までと同様の動作を行う。すなわち、無線発信器８ｂからＯＮ通知を受信した場合（Ｓ４４でＹ）、メモリ部７６に「無線発信器８ｂの制御アドレス：ＯＮ状態」を記憶する（Ｓ４５）。一方、ＯＮ通知を受信していない場合（Ｓ４４でＮ）、メモリ部７６の「無線発信器８ｂの制御アドレス：ＯＦＦ状態」を保持する（Ｓ４６）。
【００５９】
次に、無線受信器７における「ＯＲ  ＯＮ」又は「ＡＮＤ  ＯＦＦ」の動作手順に関して同じく図４を参照して説明する。
【００６０】
最初に、無線受信器７は、メモリ部７６に「無線発信器８ａの制御アドレス：ＯＮ状態」と記憶されている場合には（Ｓ５０でＹ）、照明器具９にＯＮ制御信号を送信する（Ｓ５２）。また、無線受信器７は、メモリ部７６に「無線発信器８ａの制御アドレス：ＯＮ状態」と記憶されていなくても（Ｓ５０でＮ）、「無線発信器８ｂの制御アドレス：ＯＮ状態」と記憶されている場合（Ｓ５１でＹ）がある。この場合においても照明器具９にＯＮ制御信号を送信する（Ｓ５２）。
【００６１】
このように、無線受信器７は、照明器具９の消灯時において、複数の無線発信器８ａ，８ｂのいずれか１つからＯＮ通知を受信した時点を「ＯＲ  ＯＮ」成立と認識する。そして、無線受信器７は、この「ＯＲ  ＯＮ」を伝送ユニット２にＯＮ制御要求を送信するトリガとしている。
【００６２】
次に、無線受信器７における認識状態「ＡＮＤ  ＯＦＦ」に関して説明する。無線受信器７は、「無線発信器８ａの制御アドレス：ＯＦＦ状態」と記憶され（Ｓ５３でＹ）、「無線発信器８ｂの制御アドレス：ＯＦＦ状態」と記憶されている場合（Ｓ５５でＹ）、照明器具９のＯＦＦ制御要求を伝送ユニット２に送信する（Ｓ５７）。
【００６３】
また、メモリ部７６に「無線発信器８ａの制御アドレス：ＯＦＦ状態」ではなく（Ｓ５３でＮ）、「無線発信器８ａ：不生存」と記憶され（Ｓ５４でＹ）、さらに「無線発信器８ｂの制御アドレス：ＯＦＦ状態」と記憶されている場合（Ｓ５５でＹ）がある。この場合、無線受信器７は、照明器具９のＯＦＦ制御要求を伝送ユニット２に送信する（Ｓ５７）。
【００６４】
また、「無線発信器８ａの制御アドレス：ＯＦＦ状態」ではなく（Ｓ５３でＮ）、「無線発信器８ａ：不生存」と記憶されておらず（Ｓ５４でＮ）、「無線発信器８ｂの制御アドレス：ＯＦＦ状態」と記憶されている場合（Ｓ５５でＹ）がある。この場合にも、無線受信器７は、照明器具９のＯＦＦ制御要求を伝送ユニット２に送信する（Ｓ５７）。
【００６５】
次に、本実施の形態１に係る照明制御システム１の動作シーケンスに関して図５乃至図７を参照して説明する。
【００６６】
最初に、図５に示すように、無線発信器８ａは、熱線センサからの入力が閾値を超えて人検知された場合、所定アドレスの照明器具９をＯＮ制御するためのＯＮ通知を無線受信器７に送信する（Ｓ３０１）。このとき、無線受信器７は、Ｓ３０１のＯＮ通知を受信した時点で無線発信器８ａ，８ｂのいずれか１つからＯＮ通知を受信した「ＯＲ  ＯＮ」が成立するため、制御データとしてＯＮ制御要求を伝送ユニット２に送信し（Ｓ３０２）、照明器具９が点灯される。
【００６７】
また、無線発信器８ｂは、熱線センサからの入力が閾値を超えて人検知された場合、ＯＮ通知を無線受信器７に送信する（Ｓ３０３）。なお、ここでは既にＳ３０１の時点で「ＯＲ  ＯＮ」が成立してＯＮ制御要求を伝送ユニット２に送信しているためＯＮ制御要求を伝送ユニット２に送信しない。
【００６８】
次に、無線受信器７は、無線発信器８ａ，８ｂが正常に存在しているか確認するための信号である生存確認信号を、所定期間で定期的に（例えば５分毎）、電波検知エリア内の全ての無線発信器８ａ，８ｂにブロードキャストする（Ｓ３０４）。そして、この生存確認信号を受信した無線発信器８ａ，８ｂは、正常に存在していることを示すためのＡＣＫ（判別信号）を無線受信器７に返信する（Ｓ３０５，Ｓ３０６）。
【００６９】
次に、無線発信器８ａに電池切れや電波到達エリア外への持ち運びなどの不具合が生じると（Ｓ３０７）、無線発信器８ａは、生存確認信号（Ｓ３０４）に対するＡＣＫ（Ｓ３０５）を返信できなくなる。ここで、図６（ａ）に示すように、無線受信器７は、自身の認識状態「ＯＲ  ＯＮ」、無線発信器８ａの制御アドレス「ＯＮ状態」、無線発信器８ｂの制御アドレス「ＯＮ状態」を記憶している。
【００７０】
一方、無線発信器８ｂは正常に動作しているため、動作保持時間が経過するとＯＦＦ通知を無線受信器７に送信する（Ｓ３０８）。ここで、図６（ｂ）に示すように、無線受信器７は、自身の認識状態「ＯＲ  ＯＮ」、無線発信器８ａの制御アドレス「ＯＮ状態」、無線発信器８ｂの制御アドレス「ＯＦＦ状態」を記憶する。
【００７１】
そして、生存確認通知（Ｓ３０４）に対するＡＣＫ（Ｓ３０５）が所定期間以上（例えば３０分）にわたって応答がない場合、無線受信器７は、無線発信器８ａの制御アドレスをＯＦＦ状態とする（Ｓ３０９）。すなわち、図７に示すように、無線受信器７は、自身の認識状態「ＡＮＤ  ＯＦＦ」、無線発信器８ａの制御アドレス「ＯＦＦ状態」、無線発信器８ｂの制御アドレス「ＯＦＦ状態」を記憶する。そして、「ＡＮＤ  ＯＦＦ」が無線受信器７から伝送ユニット２にＯＦＦ制御要求（Ｓ３１０）を行うトリガとなり、最終的に照明器具９がＯＦＦ制御される。
【００７２】
以上の説明のように、本実施の形態１において、無線受信器７は、無線発信器８と通信できる状態にあることを、定期的に送信する生存確認信号において監視する。そして、一定期間以上において無線発信器８から当該生存確認信号のＡＣＫ（判別信号）が受信できない状態となった場合、その無線発信器８の制御アドレスをＯＦＦ状態にする。このため、無線受信器７は、無線発信器に不具合が生じた場合においても、確実に「ＡＮＤ  ＯＦＦ」の成立を認識でき、誤って照明器具が点灯され続けることを適切に防止できる。
【００７３】
なお、本実施の形態１において、無線発信器８から無線受信器７に送信されるＯＮ通知は必須のステップではない。すなわち、無線受信器７が定期的に生存確認信号を送信し、そのＡＣＫ（判別信号）の有無を確認するだけでも無線発信器８の不具合を検証できる。
【００７４】
（実施の形態２）
以下、本発明に係る照明制御システムの実施の形態２に関して図８を参照して説明する。上記実施の形態１に係る照明制御システム１と同様の構成には同符号を付し、その詳細な説明は省略する。
【００７５】
本実施の形態２に係る照明制御システム１では、無線発信器８ａ，８ｂから定期的に無線受信器７に、生存通知信号（判別信号）を送信することを特徴とする。最初に、図８に示すように、無線発信器８ａは、熱線センサからの入力が閾値を超えて人検知された場合、制御アドレスの照明器具９をＯＮ制御するためのＯＮ通知を無線受信器７に送信する（Ｓ３０１）。このとき、無線受信器７は、「ＯＲ  ＯＮ」が成立するため、ＯＮ制御要求を伝送ユニット２に送信し（Ｓ３０２）、照明器具９が点灯される。
【００７６】
また、無線発信器８ｂは、熱線センサからの入力が閾値を超えて人検知された場合、ＯＮ通知を無線受信器７に送信する（Ｓ３０３）。なお、ここでは既にＳ３０１の時点で「ＯＲ  ＯＮ」が成立してＯＮ制御要求を伝送ユニット２に送信しているためＯＮ制御要求を伝送ユニット２に送信しない。
【００７７】
次に、無線発信器８ａ，８ｂは、自らが正常に動作していることを無線受信器７に通知するための信号である生存通知信号（判別信号）を、無線受信器７に定期的（例えば５分毎）に送信する（Ｓ８０１，Ｓ８０３）。そして、この生存通知信号を受信した無線受信器７は、生存通知信号を正常に受信したというＡＣＫを無線発信器８ａ，８ｂに返信する（Ｓ８０２，Ｓ８０４）。なお、このＡＣＫの返信動作（Ｓ８０２，Ｓ８０４）は必須のステップではない。
【００７８】
次に、無線発信器８ａに電池切れや電波到達エリア外への持ち運びなどの不具合が生じると（Ｓ３０７）、無線発信器８ａは、判別信号である生存通知信号（Ｓ８０１）を送信することができない。一方、無線発信器８ｂは正常に動作しているため、定期的に生存通知信号（判別信号）を送信すると共に（Ｓ８０３）、ＯＮ通知を送信してから動作保持時間が経過するとＯＦＦ通知を無線受信器７に送信する（Ｓ３０８）。
【００７９】
そして、無線受信器７は、無線発信器８ａの生存通知信号（Ｓ８０１）が所定期間以上（例えば３０分）にわたって不受信となると、無線発信器８ａの制御アドレスをＯＦＦ状態とする（Ｓ３０９）。すると、無線受信器７は、Ｓ３０９の時点で無線発信器８ａの制御アドレス「ＯＦＦ状態」、無線発信器８ｂの制御アドレス「ＯＦＦ状態」となり、自身の認識状態「ＡＮＤ  ＯＦＦ」が成立する。そして、この「ＡＮＤ  ＯＦＦ」が無線受信器７から伝送ユニット２にＯＦＦ制御要求（Ｓ３１０）を行うトリガとなり、最終的に照明器具９がＯＦＦ制御される。
【００８０】
以上の説明のように、本実施の形態２に係る無線発信器８は、ＯＮ通知を送信した後、ＯＦＦ通知を送信する前において判別信号であり生存通知信号を定期的に無線受信器７に送信する。無線受信器７は、この生存通知信号により無線発信器８の不具合状態を確認できる。このため、本実施の形態２では、上記実施の形態１と同様に、無線受信器７は、無線発信器に不具合が生じた場合においても確実に「ＡＮＤ  ＯＦＦ」の成立を認識でき、誤って照明器具が点灯され続けることを適切に防止できる。また、無線受信器７及び無線発信器８間の無駄な通信を減らし、無線発信器８の電池消耗を軽減できる。
【００８１】
（変形例）
本実施の形態２の変形例について、図９を参照して説明する。本変形例では、無線発信器８ａは、無線受信器７にＯＮ通知をしたか否かに関わりなく常に定期的に生存通知信号（判別信号）を送信する（Ｓ９０１）。無線受信器７は、生存通知信号に対するＡＣＫを無線発信器８ａに返信する（Ｓ９０２）。そして、Ｓ９０３の時点において無線発信器８ａに不具合が生じると、無線発信器８ａは、判別信号である生存通知信号（Ｓ９０１）を送信することが出来なくなる。このため、無線受信器７は、無線発信器８ａの生存通知信号（Ｓ９０１）が所定期間以上（例えば３０分）にわたって不受信となり、無線発信器８ａの制御アドレスをＯＦＦ状態とし、「ＡＮＤ  ＯＦＦ」が成立する（Ｓ９０４）。また、この「ＡＮＤ  ＯＦＦ」が伝送ユニット２にＯＦＦ制御要求（Ｓ９０５）を行うトリガとなり、最終的に照明器具９がＯＦＦ制御される。従って、本変形例では、上記実施の形態２と比較し、無線受信器７及び無線発信器８間により多くの通信処理が課されるが、無線発信器８に不具合が生じた場合においても、照明器具９が誤って点灯され続けることを適切に防止できる。
【００８２】
なお、本発明は、上記各実施の形態の構成に限られず、発明の趣旨を変更しない範囲で種々の変形が可能である。例えば、無線発信器８は２つに限定されるものではなく３つ以上でも同様の制御を実現できる。
【符号の説明】
【００８３】
１  照明制御システム
２  伝送ユニット
３  リレー制御用端末器
４  リモコンリレー
５  リモコントランス
６  リモコンスイッチ
７  無線受信器
７０  ＣＰＵ
７６  メモリ部
７７  タイマ部
８，８ａ，８ｂ  無線発信器
８０  ＣＰＵ
８０ａ  タイマ部
８６  メモリ部
９  照明器具（照明負荷）
１０  電波式ワイヤレスアドレス設定器
【図２】
2014086184.tif 000003
【図３】
2014086184.tif 000004
【図４】
2014086184.tif 000005
【図５】
2014086184.tif 000006
【図８】
2014086184.tif 000007
【図９】
2014086184.tif 000008
【図１】
2014086184.tif 000009
【図６】
2014086184.tif 000010
【図７】
2014086184.tif 000011
【図１０】
2014086184.tif 000012
【図１１】
2014086184.tif 000013
【図１２】
2014086184.tif 000014
【図１３】
2014086184.tif 000015